(57)【要約】【課題】従来の携帯型コンピュータの光ディスクドライバーをそれぞれのメーカの製造するそれぞれ異なるパネル造形や本体構造など有する他種の光ディスクドライバーに置き換えられない課題を解消する。【解決手段】光ディスクドライバーにはコンピュータ本体の外部へ差し出すことができる光ディスク載置ベースを有し、且つ前記ディスクドライバーのディスク送出装置には、前記コンピュータ本体の側面に枢着されるスイングカバーと、前記スイングカバーと前記コンピュータ本体の間に設けられ、前記スイングカバーをクローズ状態にするためのプレ・トーションを提供するトーションスプリングと、前記コンピュータ本体の上面部に配置され、前記ディスクドライバーのディスク送出動作を制御することによって前記スイングカバーを開けさせるようにコントロールするコントロールボタンとを少なくとも有する。【選択図】      図１
2004152069.tif 000002
【特許請求の範囲】
【請求項１】
コンピュータ本体と、前記コンピュータ本体の後端部に結合される表示パネルと、前記コンピュータ本体の上面部に配置されるキーボードと、前記コンピュータ本体の内部に位置すると共に、その側面部に近接する部位に配置される光ディスクドライバーとを備える携帯型コンピュータにおいて、前記光ディスクドライバーにはコンピュータ本体の外部へ差し出すことができる光ディスク載置ベースを有し、且つ前記ディスクドライバーのディスク送出装置には、前記コンピュータ本体の側面に枢着されるスイングカバーと、前記スイングカバーと前記コンピュータ本体の間に設けられ、前記スイングカバーをクローズ状態にするためのプレ・トーションを提供するトーションスプリングと、前記コンピュータ本体の上面部に配置され、前記ディスクドライバーのディスク送出動作を制御することによって前記スイングカバーを開けさせるようにコントロールするコントロールボタンとを少なくとも有することを特徴とする携帯型コンピュータのディスクドライバーのディスク送出装置。
【請求項２】
前記スイングカバーの両端部にそれぞれ固着アームが形成されることを特徴とする請求項１に記載の携帯型コンピュータのディスクドライバーのディスク送出装置。
【請求項３】
前記固着アームには固着突起を有し、前記トーションスプリングが当該固着突起に掛けられることを特徴とする請求項２に記載の携帯型コンピュータのディスクドライバーのディスク送出装置。
【請求項４】
前記固着アームには固着孔を有し、そこに前記トーションスプリングのあるレッグを固着し、且つ前記コンピュータ本体の前記スイングカバーに近接する部位に固着塊が設けられ、当該固着塊には固着孔を有し、そこに前記トーションスプリングの他のレッグを固着することを特徴とする請求項３に記載の携帯型コンピュータのディスクドライバーのディスク送出装置。
【請求項５】
前記コンピュータ本体には収納空間を有し、そこに前記光ディスクドライバーを収納することを特徴とする請求項１に記載の携帯型コンピュータのディスクドライバーのディスク送出装置。
【請求項６】
前記収納空間には前記スイングカバーの幅の大きさに対応する予定の幅を有し、そこにそれぞれのパネル構造を有する光ディスクドライバーを適用することを特徴とする請求項５に記載の携帯型コンピュータのディスクドライバーのディスク送出装置。
【請求項７】
前記スイングカバーを前記収納空間に覆うことによって前記光ディスクドライバーを前記コンピュータ本体の内部に隠すことを特徴とする請求項５に記載の携帯型コンピュータのディスクドライバーのディスク送出装置。
【請求項８】
前記コントロールボタンが前記コンピュータ本体の上面部に配置されると共に、前記キーボードの後方に近接する箇所に配置され、且つアプリケーションプログラムによって前記光ディスクドライバーを駆動することにより前記光ディスク載置ベースを前記コンピュータ本体の外部へ送出することを特徴とする請求項１に記載の携帯型コンピュータのディスクドライバーのディスク送出装置。
【請求項９】
収納空間を有するコンピュータ本体と、
前記コンピュータ本体の後端部に結合される表示パネルと、
前記コンピュータ本体の上面部に位置するキーボードと、
前記コンピュータ本体の前記収納空間内に配置され、前記コンピュータ本体の外部へ送出されることができる光ディスク載置ベースを有する光ディスクドライバーと、
前記コンピュータ本体の側面に枢着されると共に、前記収納空間の出口箇所に位置し、前記収納空間を封止するようにカバーすることによって前記光ディスクドライバーを前記コンピュータ本体の内部に隠し、且つ前記収納空間に対し予定の幅に対応する幅を有し、それぞれ異なるパネルの構造を有する光ディスクドライバーに適用できるように設計されるスイングカバーと、
前記スイングカバーと前記コンピュータ本体との間に設けられ、プレ・トーションを提供することによって前記スイングカバーを封止状態に設定するトーションスプリングと、
前記コンピュータ本体の上面部に位置すると共に、前記キーボードの後方に近接する箇所に位置し、且つアプリケーションプログラムによって前記光ディスクドライバーを駆動することにより前記光ディスクド載置ベースを前記コンピュータ本体の外部へ送出するように設定するコントロールボタンとを少なくとも有する携帯型コンピュータ。
【請求項１０】
前記スイングカバーの両端部にそれぞれ固着アームが形成されることを特徴とする請求項９に記載の携帯型コンピュータ。
【請求項１１】
前記固着アームには固着突起を有し、前記トーションスプリングが当該固着突起に掛けられることを特徴とする請求項９に記載の携帯型コンピュータ。
【請求項１２】
前記固着アームには固着孔を有し、そこに前記トーションスプリングのあるレッグを固着し、且つ前記コンピュータ本体の前記スイングカバーに近接する部位に固着塊が設けられ、当該固着塊には固着孔を有し、そこに前記トーションスプリングの他のレッグを固着することを特徴とする請求項９に記載の携帯型コンピュータ。
【請求項１３】
前記光ディスクドライバーがオプチカルメディア保存装置であることを特徴とする請求項９に記載の携帯型コンピュータ。
【請求項１４】
前記オプチカルメディア保存装置がＣＤ−ＲＯＭ、ＤＶＤ−ＲＯＭ、ＣＤ＿ＲＷ、ＤＶＤ−ＲＡＭ、Ｃｏｍｂｏ  ｄｒｉｖｅ（ＣＤ−ＲＷにＤＶＤ−ＲＯＭをプラス）、ＤＶＤ−ＲＡＭなどのうちいずれか１つであることを特徴とする請求項１３に記載の携帯型コンピュータ。
【請求項１５】
コンピュータ本体と、前記コンピュータ本体の内部に位置すると共に、その側面部に近接する部位に配置される光ディスクドライバーと、前記コンピュータ本体の外部へ送出されることができる光ディスク載置ベースと、前記コンピュータ本体の側面部に枢着されるスイングカバーと、前記コンピュータ本体の上面部に配置されるコントロールボタンとを備える携帯型コンピュータのディスクドライバーのディスク送出装置の作動方法であって、
前記コントロールボタンを押すステップ（１）と、
スキャンコードを前記携帯型コンピュータのオペレーションシステムへ送信するステップ（２）と、
前記オペレーションシステムのアプリケーションプログラムを起動するステップ（３）と、
前記アプリケーションプログラムによって前記光ディスクドライバーを駆動するステップ（４）と、
前記光ディスク載置ベースによって前記スイングカバーを突き開けると共に、前記光ディスク載置ベースを前記コンピュータ本体の外部へ送出するステップ（５）と、
光ディスク送出動作を終了するステップ（６）とを備えることを特徴とする携帯型コンピュータのディスクドライバーのディスク送出装置の作動方法。
【請求項１６】
前記ステップ（２）におけるスキャンコードの送信はキーボードコントロールサーキットによって送信を実行することを特徴とする請求項１５に記載の携帯型コンピュータのディスクドライバーのディスク送出装置の作動方法。
【発明の詳細な説明】
【０００１】
【発明の属する技術分野】
本発明は、携帯型コンピュータのディスクドライバーのディスク送出装置及びその作動方法に係わり、特に携帯型コンピュータに整えた外形を付与できる美観的な新構造に関するものである。
【０００２】
【従来の技術】
科学技術の発展に従って、携帯型コンピュータが民間において大幅に流行ってゆくようになっている。また、光ディスクドライバーもそれの１つの標準的な設備となっている。携帯型コンピュータの光ディスクドライバーがいつも携帯型コンピュータの造形と寸法と一致にするように設計されるため、コンピュータ全体の外形を整えさせることができるので、消費者の購買意欲を引き立てさせることができる。
【０００３】
しかしながら、それぞれのメーカの製造する携帯型コンピュータの類型と寸法が同じではないため、設計される光ディスクドライバーの類型と寸法もよく異なるようになっている。そのため、それぞれのメーカの製造する光ディスクドライバーは外形と寸法が一致になることはないため、相互間の置き換え可能性がかなり低くなっている。
【０００４】
そのため、本発明の発明者は前記の従来物の諸課題に鑑みて、研究開発を進め設計が合理的で効果的に前記諸課題を解消できる本発明の“携帯型コンピュータのディスクドライバーのディスク送出装置及びその作動方法”を提出するに至った。
【０００５】
【発明が解決しようとする課題】
本発明は、各種類の寸法の光ディスクドライバーを置き換えられると共に、置き換え後に依然として携帯型コンピュータの外形の整えさを維持できる、携帯型コンピュータのディスクドライバーのディスク送出装置及びその作動方法を提供することをその主要な目的とする。
【０００６】
【課題を解決するための手段】
前記の目的を図るために、本発明は、コンピュータ本体と、前記コンピュータ本体の後端部に結合される表示パネルと、前記コンピュータ本体の上面部に配置されるキーボードと、前記コンピュータ本体の内部に位置すると共に、その側面部に近接する部位に配置される光ディスクドライバーとを備える携帯型コンピュータにおいて、前記光ディスクドライバーにはコンピュータ本体の外部へ差し出すことができる光ディスク載置ベースを有し、且つ前記ディスクドライバーのディスク送出装置には、前記コンピュータ本体の側面に枢着されるスイングカバーと、前記スイングカバーと前記コンピュータ本体の間に設けられ、前記スイングカバーをクローズ状態にするためのプレ・トーションを提供するトーションスプリングと、前記コンピュータ本体の上面部に配置され、前記ディスクドライバーのディスク送出動作を制御することによって前記スイングカバーを開けさせるようにコントロールするコントロールボタンとを少なくとも有する携帯型コンピュータのディスクドライバーのディスク送出装置及びその作動方法を提供する。
【０００７】
本発明の主要な技術特徴による場合、コンピュータ本体には収納空間を有し、そこにそれぞれ異なるパネル設計の光ディスクドライバーを収納でき、そのため、携帯型コンピュータにおける光ディスクドライバーがそれぞれのメーカの製造するそれぞれ異なるパネル造形を有する光ディスクドライバーに置き換えられるようになり、寸法が合わない問題を配慮する必要がなくなり、且つ本発明の設計によるスイングカバーによってそれぞれのタイプの光ディスクドライバーをすべて前記スイングカバーによって覆われることができるようにし、そのため、携帯型コンピュータの全体外形が整えた視覚的な美感を具備できる。
【０００８】
以下に添付図面を参照しながら本発明の好適な実施の形態を詳細に説明するが、それらの説明による詳細的で具体的な構造は単に本発明のある優れた実施例に過ぎず、本発明の主張範囲を狭義的に制限するものではない。
【０００９】
【発明の実施の形態】
図１ないし図３に示すように、本発明は携帯型コンピュータのディスクドライバーのディスク送出装置及びその作動方法を提供し、そのうち、携帯型コンピュータ１には、コンピュータ本体１０と、コンピュータ本体１０の後端部に結合される表示パネルと、コンピュータ本体１０の上面部に位置するキーボードと、コンピュータ本体１０の内部に配置されると共に、その側面に近接する光ディスクドライバー５とを有し、また、光ディスクドライバー５がオプチカルメディア保存装置であり、例えば、ＣＤ−ＲＯＭ、ＤＶＤ−ＲＯＭ、ＣＤ＿ＲＷ、ＤＶＤ−ＲＡＭ、Ｃｏｍｂｏ  ｄｒｉｖｅ（ＣＤ−ＲＷにＤＶＤ−ＲＯＭをプラス）、ＤＶＤ−ＲＡＭなどのうちいずれか１つであり、且つディスクドライバー５にはコンピュータ本体１０の外部へ差し出すことができる光ディスク載置ベース５１を有する。
【００１０】
前記光ディスクドライバーの光ディスク送出装置にはスイングカバー２とトーションスプリング３とコントロールボタン４とを備え、そのうち、スイングカバー２の両端部にそれぞれ固着アーム２１を有し、固着アーム２１には固着突起２２を備え、スイングカバー２は固着突起２２によってコンピュータ本体１０の側面の固着孔１２に取り付けられる。
【００１１】
トーションスプリング３が固着突起２２に掛けられると共に、トーションスプリング３よりそれぞれ二本のレッグ３０，３１を伸び出し、トーションスプリング３のそれらの二本のレッグ３０，３１がそれぞれ固着アーム２１における固着孔２３とコンピュータ本体１０の固着塊１３の固着孔１４に差し込まれ、スイングカバー２とコンピュータ本体１０の間でプレ・トーション（Ｐｒｅ−ｔｏｒｓｉｏｎ）を提供し、スイングカバー２を封止状態にあるように設定する。
【００１２】
コントロールボタン４がコンピュータ本体１０の上面部に配置されると共に、キーボードの回り箇所に位置し、且つアプリケーションプログラムによって光ディスクドライバー５を駆動し、光ディスク載置ベース５１をコンピュータ本体１０の外部へ送出する。
【００１３】
また、コンピュータ本体１０には収納空間１１を有し、そこに光ディスクドライバー５を収納でき、且つ収納空間１１にはスイングカバー１２の幅に対応する予定の幅を有し、収納空間１１が実施される場合に、それぞれ異なるパネルを有するそれぞれのメーカの製造されるそれぞれ異なる光ディスクドライバーを収納できるように設定される。
【００１４】
また、図３と図４に示すのはそれぞれ本発明の一般的な状態と光ディスク載置ベースが送出される場合の状態を示す説明図であり、図３に示すように、スイングカバー２を押す外部の作用力（光ディスク載置ベース５１を外部へ押し出す力のことを言う）がない場合、トーションスプリング３がスイングカバー２を封止状態にあるように維持させ、ユーザーがコントロールボタン４を押す場合に、光ディスクドライバー５が光ディスク載置ベース５１を駆動して外部へ差し出す（矢印６１の指す方向）。この時、光ディスク載置ベース５１がスイングカバー２に対し外部へスイングする力を提供し、スイングカバー２を外部へスイングさせる（矢印６２の指す方向）。図４に示すように、光ディスク載置ベース５１が外部へ送出されてから、スイングカバー２が光ディスク載置ベース５１の下方に位置されるように維持されるため、本発明は光ディスク載置ベース５１が送出される状態に維持されるようになる。ユーザーが光ディスクを差し込む動作や置き換える動作を実行した後に、光ディスク載置ベース５１を押し戻すことができ、この場合では、トーションスプリング３の提供する回復トーションによってスイングカバー２が自動的に封止状態に復帰することができる。
【００１５】
図５に示すのは本発明の作動方法のフローチャートである。ユーザーが光ディスク載置ベース５１を送出させようとする場合、コントロールボタン４を押し、この時、携帯型コンピュータ１のキーボードコントロールサーキットがコントロールボタン４に対応するスキャン・コードを内部のオペレーションシステムへ送信し、オペレーションシステムにコントロールボタン４が押されたことを知らせ、オペレーションシステムが前記スキャンコードを受信した場合、前記オペレーションシステムがコントロールボタン４の所属するアプリケーションプログラムを起動し、この時、前記アプリケーションプログラムが光ディスクドライバー５を駆動し、且つ光ディスク載置ベース５１がスイングカバー２を突き開け、光ディスク載置ベース５１をコンピュータ本体１０の外部へ送出し、光ディスクの送出動作を完成する。
【００１６】
【発明の効果】
前記に説明した本発明の構造によって、携帯型コンピュータにはそれぞれ異なる設計を有する光ディスクドライバーを収納可能な収納空間を有するので、当該携帯型コンピュータがそれぞれのメーカの提供するそれぞれ異なるパネル構造や本体構造を有するそれぞれの光ディスクドライバーを収納できるようになるので、本発明による場合では、光ディスクドライバーの置き換えられる可能性が向上される。
【００１７】
また、本発明の提供するスイングカバーがそれぞれの類型の光ディスクドライバーを携帯型コンピュータの内部に隠すことができるので、普段では、ユーザーが単に携帯型コンピュータの外形に合わせられるスイングカバーしか見えなくなり、そのため、携帯型コンピュータに整えた美観的な外形を付与できる。
【００１８】
前記に説明した通り、本発明の提供する携帯型コンピュータのディスクドライバーのディスク送出装置及びその作動方法による場合、確実的に従来の携帯型コンピュータの光ディスクドライバーをそれぞれのメーカの製造するそれぞれ異なるパネル造形や本体構造など有する他種の光ディスクドライバーに置き換えられない課題を解消できるので、従来物の汎用性に乏しい、厳しい課題を解決できる。
【００１９】
また、前記に詳細に説明した具体的な構造は単に本発明のある実施可能な実施例に過ぎず、本発明の主張範囲を制限するものではなく、本発明の前記の特許請求の範囲の要旨を逸脱しないまま実施されるすべての改造や変形や一部転用などがすべて本発明の主張範囲内に納入されるべきことは言うまでもない。
【図面の簡単な説明】
【図１】本発明の携帯型コンピュータのディスクドライバーのディスク送出装置を示す分解斜視図である。
【図２】本発明の携帯型コンピュータのディスクドライバーのディスク送出装置を示す組立斜視図である。
【図３】本発明の携帯型コンピュータのディスクドライバーのディスク送出装置を示す断面図である。
【図４】本発明の光ディスク載置ベースの送出状態を示す説明図である。
【図５】本発明の作動方法を示すフローチャートである。
【符号の説明】
１    携帯型コンピュータ
２    スイングカバー
３    トーションスプリング
４    コントロールボタン
５    光ディスクドライバー
１０  コンピュータ本体
１１  収納空間
１２、１４、２３  固着孔
１３  固着塊
２１  固着アーム
２２  固着突起
３０、３１  レッグ
５１  光ディスク載置ベース
６１、６２  矢印
【図１】
2004152069.tif 000003
【図２】
2004152069.tif 000004
【図３】
2004152069.tif 000005
【図４】
2004152069.tif 000006
【図５】
2004152069.tif 000007